(57)【要約】【課題】  健康に関するアドバイスメッセージを利用者に注視させることを可能とする健康管理システムの提供。また、体脂肪計、歩数計等のデータを簡便にパソコンで管理できる健康管理システムの提供。【解決手段】  生体データを入力する入力手段と、該生体データを表示する表示手段と、前記生体データに基づいて健康アドバイスを表示するアドバイス表示手段とを備え、前記アドバイス表示手段は口を動かし、手を振るアニメーションの人間が吹き出しのアドバイスを前記手で指し示すアニメーションで表示する健康管理システム。生体データを測定する生体データ測定装置と、該生体データ測定装置から前記生体データを受信するレシーバーとを更に備え、前記入力手段は、前記レシーバーから前記生体データを取り込む。【選択図】  図１１
2004283570.tif 000002
【特許請求の範囲】
【請求項１】
生体データを入力する入力手段と、該生体データを表示する表示手段と、前記生体データに基づいて健康アドバイスを表示するアドバイス表示手段とを備え、
前記アドバイス表示手段は口を動かし、手を振るアニメーションの人間が吹き出しのアドバイスを前記手で指し示すアニメーションで表示することを特徴とする健康管理システム。
【請求項２】
生体データを測定する生体データ測定装置と、該生体データ測定装置から前記生体データを受信するレシーバーとを更に備え、前記入力手段は、前記レシーバーから前記生体データを取り込む請求項１に記載の健康管理システム。
【請求項３】
前記生体データ測定装置は少なくとも体脂肪計、歩数計、または血圧計のいずれか一つを含む請求項２に記載の健康管理システム。
【請求項４】
前記生体データは、前記生体データ測定装置が体脂肪計の場合、少なくとも体重、体脂肪率、体脂肪量、基礎代謝量、総消費エネルギー量、または、内臓脂肪レベルのいずれか一つを含む請求項２に記載の健康管理システム。
【請求項５】
前記生体データは、前記生体データ測定装置が歩数計の場合、少なくとも歩数、距離、消費カロリーまたは脂肪燃焼量のいずれか一つを含む請求項２に記載の健康管理システム。
【請求項６】
前記生体データは、前記生体データ測定装置が血圧計の場合、少なくとも最高血圧、最低血圧または脈拍のいずれか一つを含む請求項２に記載の健康管理システム。
【請求項７】
前記レシーバーは、通常は待機状態にあり、前記生体データ測定装置から前記生体データが送信されてくると、前記生体データをチェックし、問題がなければ前記生体データを取り込む無線受信部を備える請求項２に記載の健康管理システム。
【請求項８】
前記アドバイスは、ダイエットに関するアドバイスの場合には、少なくとも体型、体重、体脂肪量、または基礎代謝量のいずれか一つに関する注意あるいはコメントを含む請求項１に記載の健康管理システム。
【請求項９】
前記アドバイスは、生活習慣病に関するアドバイスの場合には、少なくとも体型、体重、体脂肪量、または内臓脂肪レベルのいずれか一つに関する注意あるいはコメントを含む請求項１に記載の健康管理システム。
【請求項１０】
前記アドバイス表示手段は、前記アドバイスがダイエットに関するアドバイスの場合には、少なくとも体重、体脂肪量、基礎代謝量、または総消費エネルギー量のいずれか一つを含むグラフを表示するグラフ表示手段を備える請求項１に記載の健康管理システム。
【請求項１１】
前記アドバイス表示手段は、前記アドバイスが生活習慣病に関するアドバイスの場合には、少なくとも体重、体脂肪量、内臓脂肪レベル、最高血圧または最低血圧のいずれか一つを含む請求項１に記載の健康管理システム。
【請求項１２】
生体データを測定する生体データ測定装置と、該生体データを受信するレシーバーと、該レシーバとＵＳＢ接続されたパーソナルコンピュータを備え、前記レシーバーは、通常は待機状態にあり、前記生体データ測定装置から前記生体データが送信されてくると、前記生体データをチェックし、問題がなければ前記生体データを取り込む無線受信部を備えることを特徴とする健康管理システム。
【請求項１３】
前記レシーバーは電波あるいは赤外線により前記生体データを前記生体データ測定装置から受信する請求項１２に記載の健康管理システム。
【請求項１４】
前記生体データ測定装置は少なくとも体脂肪計、歩数計、または血圧計のいずれか一つを含む請求項１２に記載の健康管理システム。
【請求項１５】
前記生体データは、前記生体データ測定装置が体脂肪計の場合、少なくとも体重、体脂肪率、体脂肪量、基礎代謝量、総消費エネルギー量、または、内臓脂肪レベルのいずれか一つを含む請求項１２に記載の健康管理システム。
【請求項１６】
前記生体データは、前記生体データ測定装置が歩数計の場合、少なくとも歩数、距離、消費カロリーまたは脂肪燃焼量のいずれか一つを含む請求項１２に記載の健康管理システム。
【請求項１７】
前記生体データは、前記生体データ測定装置が血圧計の場合、少なくとも最高血圧、最低血圧または脈拍のいずれか一つを含む請求項１２に記載の健康管理システム。
【請求項１８】
前記生体データ測定装置は、前記生体データ測定装置が体脂肪計あるいは血圧計の場合、測定後、データ送信ボタンが押されると、フレーム同期方式で前記生体データを前記レシーバーに送信する請求項１２に記載の健康管理システム。
【請求項１９】
前記生体データ測定装置は、前記生体データ測定装置が歩数計の場合、永久磁石を備える前記レシーバーにリードスイッチを備える前記歩数計が置かれると、前記リードスイッチがオンし、前記生体データを前記レシーバーに調歩方式で送信する請求項１２に記載の健康管理システム。
【発明の詳細な説明】
【技術分野】
【０００１】
本発明は、生体測定データを管理する健康管理システムに関し、特に生体測定データに基づいた健康に関するアドバイスのメッセージに注視させることを可能とする健康管理システム、及び、体脂肪計、歩数計等のデータを簡便にパソコンで管理できる健康管理システムに関する。
【背景技術】
【０００２】
従来、ＰＣ利用者に対しＰＣからのメッセージに注視させる方法として、マイクロソフト株式会社のワープロソフトＷＯＲＤのＯｆｆｉｃｅアシスタントのバルーン機能（例えば、非特許文献１参照。）がある。バルーン機能は、図１７に示すようにアニメーションの女性と吹き出しを表示する。
【０００３】
また、歩数データをパソコンで管理できる歩数計として、オムロン株式会社のオムロンヘルスカウンタＨＪ−７００ＩＴ（非特許文献２参照。）がある。これは、歩数計とパソコンをＵＳＢケーブルで接続して、歩数計内の歩数データをパソコンに転送して、パソコンで歩数データを管理するものである。
【０００４】
また、生体測定データをデータサーバーに送信し、そこに蓄積されたデータに基づいて健康に関して個別にアドバイスする健康管理システムが本発明の出願人から出願されている（特許文献１。）。
【非特許文献１】"Ｏｆｆｉｃｅ２０００共通オブジェクトプログラミングのススメ"、[online]、[２００３年２月２８日検索]、インターネット  < URL : http://www.moug.net/skillup/opm/opm09-01.htm  >
【非特許文献２】"オムロンヘルスカウンタHJ-7001Tカタログ"、[online]、[２００４年３月２日検索]、インターネット  < URL：http://www.healthcare.omron.co.jp/product/pdf/hj700it.pdf  >
【特許文献１】特開２０００−２２９０７２号公報
【発明の開示】
【発明が解決しようとする課題】
【０００５】
しかし、アニメーションの女性に吹き出しと関連する動きはなく、バルーン機能は、仕事の緊張を和らげる等の単なるマスコット的な効果しか持たない。
【０００６】
また、歩数計とパソコンをＵＳＢケーブルで接続する場合、歩数計内のＵＳＢケーブル接続端子を保護する必要があり、端子をゴムカバーで保護しているので、接続に際し、カバー外すのに結構手間がかかり、わずらわしさを感じ、毎日、パソコンと接続する気にならない。このため、歩数計に１週間分データを貯めることが出来るようになっている。さらに、１週間分のデータが貯まった場合には、点滅マークが出るようになっている。
【０００７】
本発明の目的は、上述したような従来技術の問題点を解消し、健康に関するアドバイスメッセージを利用者に注視させる健康管理システムを提供することである。
【０００８】
また、本発明の別の目的は、上述したような従来技術の問題点を解消し、体脂肪計、歩数計等のデータを簡便にパソコンで管理できる健康管理システムを提供することである。
【課題を解決するための手段】
【０００９】
本発明の一つの観点によれば、生体データを入力する入力手段と、該生体データを表示する表示手段と、前記生体データに基づいて健康アドバイスを表示するアドバイス表示手段とを備え、前記アドバイス表示手段は口を動かし、手を振るアニメーションの人間が吹き出しのアドバイスを前記手で指し示すアニメーションで表示することを特徴とする健康管理システムが提供される。
【００１０】
本発明の一つの実施の形態によれば、生体データを測定する生体データ測定装置と、該生体データ測定装置から前記生体データを受信するレシーバーとを更に備え、前記入力手段は、前記レシーバーから前記生体データを取り込む。
【００１１】
本発明の別の実施の形態によれば、前記生体データ測定装置は少なくとも体脂肪計、歩数計、または血圧計のいずれか一つを含む。
【００１２】
本発明の別の実施の形態によれば、前記生体データは、前記生体データ測定装置が体脂肪計の場合、少なくとも体重、体脂肪率、体脂肪量、基礎代謝量、総消費エネルギー量、または、内臓脂肪レベルのいずれか一つを含む。
【００１３】
本発明のさらに別の実施の形態によれば、前記生体データは、前記生体データ測定装置が歩数計の場合、少なくとも歩数、距離、消費カロリーまたは脂肪燃焼量のいずれか一つを含む。
【００１４】
本発明のさらに別の実施の形態によれば、前記生体データは、前記生体データ測定装置が血圧計の場合、少なくとも最高血圧、最低血圧または脈拍のいずれか一つを含む。
【００１５】
本発明のさらに別の実施の形態によれば、前記レシーバーは、通常は待機状態にあり、前記生体データ測定装置から前記生体データが送信されてくると、前記生体データをチェックし、問題がなければ前記生体データを取り込む無線受信部を備える。
【００１６】
本発明のさらに別の実施の形態によれば、前記アドバイスは、ダイエットに関するアドバイスの場合には、少なくとも体型、体重、体脂肪量、または基礎代謝量のいずれか一つに関する注意あるいはコメントを含む。
【００１７】
本発明のさらに別の実施の形態によれば、前記アドバイスは、生活習慣病に関するアドバイスの場合には、少なくとも体型、体重、体脂肪量、または内臓脂肪レベルのいずれか一つに関する注意あるいはコメントを含む。
【００１８】
本発明のさらに別の実施の形態によれば、前記アドバイス表示手段は、前記アドバイスがダイエットに関するアドバイスの場合には、少なくとも体重、体脂肪量、基礎代謝量、または総消費エネルギー量のいずれか一つを含むグラフを表示するグラフ表示手段を備える。
【００１９】
本発明のさらに別の実施の形態によれば、前記アドバイス表示手段は、前記アドバイスが生活習慣病に関するアドバイスの場合には、少なくとも体重、体脂肪量、内臓脂肪レベル、最高血圧または最低血圧のいずれか一つを含む。
【００２０】
本発明の一つの観点によれば、生体データを測定する生体データ測定装置と、該生体データを受信するレシーバーと、該レシーバとＵＳＢ接続されたパーソナルコンピュータを備え、前記レシーバーは、通常は待機状態にあり、前記生体データ測定装置から前記生体データが送信されてくると、前記生体データをチェックし、問題がなければ前記生体データを取り込む無線受信部を備える健康管理システムが提供される。
【００２１】
本発明の一つの実施の形態によれば、前記レシーバーは電波あるいは赤外線により前記生体データを前記生体データ測定装置から受信する。
本発明の別の実施の形態によれば、前記生体データ測定装置は少なくとも体脂肪計、歩数計、または血圧計のいずれか一つを含む。
【００２２】
本発明のさらに別の実施の形態によれば、前記生体データは、前記生体データ測定装置が体脂肪計の場合、少なくとも体重、体脂肪率、体脂肪量、基礎代謝量、総消費エネルギー量、または、内臓脂肪レベルのいずれか一つを含む。
【００２３】
本発明のさらに別の実施の形態によれば、前記生体データは、前記生体データ測定装置が歩数計の場合、少なくとも歩数、距離、消費カロリーまたは脂肪燃焼量のいずれか一つを含む。
【００２４】
本発明のさらに別の実施の形態によれば、前記生体データは、前記生体データ測定装置が血圧計の場合、少なくとも最高血圧、最低血圧または脈拍のいずれか一つを含む。
【００２５】
本発明のさらに別の実施の形態によれば、前記生体データ測定装置は、前記生体データ測定装置が体脂肪計あるいは血圧計の場合、測定後、データ送信ボタンが押されると、フレーム同期方式で前記生体データを前記レシーバーに送信する。
【００２６】
本発明のさらに別の実施の形態によれば、前記生体データ測定装置は、前記生体データ測定装置が歩数計の場合、永久磁石を備える前記レシーバーにリードスイッチを備える前記歩数計が置かれると、前記リードスイッチがオンし、前記生体データを前記レシーバーに調歩方式で送信する。
【発明の効果】
【００２７】
以上説明したように、本発明の健康管理システムは、生体データを入力する入力手段と、生体データを表示する表示手段と、生体データに基づいて健康アドバイスを表示するアドバイス表示手段とを備え、アドバイス表示手段は口を動かし、手を振るアニメーションの人間が吹き出しのアドバイスを前記手で指し示すアニメーションを表示するので、利用者の注意を引き、そのアドバイス内容に注視させ、データの推移・状態をより把握させ、利用者自身がより早く生活習慣の改善に努める等、体調等のセルフケア（病気になる前の一次予防）の動機付けとして役立つ。
【００２８】
本発明の健康管理システムは、生体データを測定する生体データ測定装置と、該生体データを受信するレシーバーと、該レシーバとＵＳＢ接続されたパーソナルコンピュータを備え、前記レシーバーは、通常は待機状態にあり、前記生体データ測定装置から前記生体データが送信されてくると、前記生体データをチェックし、問題がなければ前記生体データを取り込む無線受信部を備えるので、体脂肪計３あるいは血圧計１等の測定器で測定後、測定器のデータ送信ボタンを押すだけで、測定器からある程度離れたレシーバー４に測定データを送信でき、レシーバー４は、自動的にデータを集めることが出来る。データ送信ボタンを押した直後に、わざわざレシーバー４の所まで行き、レシーバー４の受信ボタンを押す必要はない。測定データの収集に使用者の手間があまりかからない利点がある。
【００２９】
また、前記生体データ測定装置は、前記生体データ測定装置が歩数計の場合、永久磁石を備える前記レシーバーにリードスイッチを備える前記歩数計が置かれると、前記リードスイッチがオンし、前記生体データを前記レシーバーに調歩方式で送信するので、歩数計２で測定後、歩数計２をレシーバー４の上に置くだけで、レシーバー４から測定データを収集することが出来る。測定データの収集に必要な使用者の手間が非常に少ない。もし歩数計２とＰＣ５の間をレシーバー４を介さず、ＵＳＢで歩数計２とＰＣ５を物理的に直接接続して、ＰＣ５が歩数計２からデータを受信する方式では、歩数計のＵＳＢ端子にＵＳＢケーブルを接続するのに、手間が掛かり、使用者はわずらわしさを感じる。
【発明を実施するための最良の形態】
【００３０】
次に、添付図面に基づいて、本発明をより詳細に説明する。
【００３１】
図１は、本発明に係る健康管理システムの実施例の構成を示す構成図である。図１に示すように、健康管理システムは、血圧を測定する血圧計１と、歩数計２と、体脂肪計３と、これらの測定装置から電波・赤外線通信を介して測定データを受信するレシーバー４と、レシーバー４とUSB接続されたパーソナルコンピュータ５（以下、PCという）と、PC５とインターネット６で接続されたデータサーバー７とから構成される。
【００３２】
血圧計１は、無線データ送信機能がある以外は、公知の血圧計なので、内部ブロック図等の説明は省略する。歩数計２は、赤外線データ送信機能以外は、公知の歩数計なので、説明は省略する。体脂肪計３は、無線データ送信機能以外は、公知の体脂肪計なので、説明は省略する。
【００３３】
図２は、レシーバー４の論理ブロック図である。レシーバー４は、血圧計１あるいは体脂肪計３から送信されるデータを受信する無線受信部２１と、歩数計２から送信されるデータを受信する赤外線受信部２２と、メモリ２５と、時計２６と、表示部２７と、他の回路ブロックを制御する制御部２３と、USBの制御を行うUSB制御部２４から構成される。
【００３４】
PC５は、公知のパソコンであり、USB接続でのレシーバー４からの受信機能以外は一般的なパソコンである。このＰＣ５内では、健康管理プログラムが動作する。このプログラムは、血圧計１、歩数計２、および体脂肪計３の測定データを管理し、測定データの経日変化をグラフ表示したり、ダイエットおよび生活習慣病に関するアドバイスを表示したりする。詳細は後で説明する。
【００３５】
データサーバー７は、従来技術の特開２０００−２２９０７２に示したような公知のファイルサーバーとWebサーバーであり、ここに健康管理プログラムで管理されているデータの一部がPC５から送信される。このデータサーバー７に蓄積されたデータを基に医師、栄養士あるいは運動指導士がインターネットを介し、リアルタイムで改善点を個別にアドバイスする。
【００３６】
次に本発明に係る健康管理システムの動作を図面を用いて説明する。最初に、血圧計１あるいは体脂肪計３とレシーバー４間のデータの送受信動作について説明する。血圧計あるいは体脂肪計で測定後、それぞれの測定器のデータ送信ボタンが押されると、各測定器の送信部はフレーム同期方式で測定データをレシーバー４に送信する。レシーバー４の無線受信部２１は、通常、待機状態にあり、データが送信されてくると、データをチェックし、問題がなければ測定データを取り込む。
【００３７】
従って、体脂肪計３あるいは血圧計１等の測定器で測定後、測定器のデータ送信ボタンを押すだけで、測定器からある程度離れたレシーバー４に測定データを送信でき、レシーバー４は、自動的にデータを集めることが出来る。データ送信ボタンを押した直後に、わざわざレシーバー４の所まで行き、レシーバー４の受信ボタンを押す必要はない。測定データの収集に使用者の手間があまりかからない利点がある。
【００３８】
次に、歩数計２とレシーバー４間のデータの送受信動作について説明する。レシーバー４に永久磁石が、歩数計２にリードスイッチが設けてあり、レシーバー４に歩数計を置くと、リードスイッチがオンし、歩数計は測定データをレシーバー４に調歩（同期）方式で送信する。レシーバー４の赤外線受信部２２は、歩数計の測定データを受信する。
【００３９】
従って、歩数計２で測定後、歩数計２をレシーバー４の上に置くだけで、レシーバー４から測定データを収集することが出来る。測定データの収集に必要な使用者の手間が非常に少ない。もし歩数計２とＰＣ５の間をレシーバー４を介さず、ＵＳＢで歩数計２とＰＣ５を物理的に直接接続して、ＰＣ５が歩数計２からデータを受信する方式では、歩数計のＵＳＢ端子にＵＳＢケーブルを接続するのに、手間が掛かり、使用者はわずらわしさを感じる。
【００４０】
次に、ＰＣ５内で動作する健康管理プログラムの動作を説明する。図３は、健康管理プログラムのメインプログラムのフローチャートである。メインプログラムを起動すると、最初に図４に示すものがＰＣ５のディスプレイに表示される。図４の左の「データ取り込み」、「体脂肪計」、・・・「データ送信」は健康管理プログラムのメニューボタンである。「データ取り込み」ボタン４１をマウスでクリックすると、ステップＳ３１において、レシーバー４からＰＣ５に測定データの取り込みが行われる。体脂肪計から取り込まれる測定データは、体重、体脂肪率、体脂肪量、基礎代謝量、総消費エネルギー量、および内臓脂肪レベル（内臓脂肪面積から割り出された内臓脂肪量のレベル）である。血圧計から取り込まれる測定データは、最高血圧、最低血圧および脈拍である。歩数計から取り込まれる測定データは、歩数、距離、消費カロリーおよび脂肪燃焼量である。「体脂肪計」ボタン４２をマウスでクリックすると、ステップＳ３２において、体脂肪計ルーチンを実行する。詳細は、後で説明する。
【００４１】
「血圧計」ボタン４３をマウスでクリックすると、ステップＳ３３において、血圧計ルーチンを実行する。「歩数計」ボタン４４をマウスでクリックすると、ステップＳ３４において、歩数計ルーチンを実行する。「設定」ボタン４５を押すと、ステップＳ３５において、健康管理プログラムの各種設定を行う。「データ送信」ボタン４６をマウスでクリックすると、ステップＳ３６において、測定データをデータサーバー７に送信する。
【００４２】
次に、図５のフローチャートを用いて、体脂肪計ルーチンの動作を説明する。ステップＳ５１において、図４に示されているように、表示ルーチンが実行されて、健康管理プログラムを実行させた当日の体重、体脂肪率および体脂肪量の値および目標値が画面上部に表示される。また、画面下部には体重の週間グラフが表示される。
【００４３】
三角形の左向き矢印ボタン４７をマウスでクリックすると、ステップＳ５２において、表示されている日付を１日だけ遡り、その日付の測定データを表示する。三角形の右向き矢印ボタン４８をマウスでクリックすると、ステップＳ５３において、表示されている日付を１日だけ進め、その日付の測定データを画面表示する。
【００４４】
週間ボタン４９をマウスでクリックすると、ステップＳ５４において、体重の週間グラフを表示する。月間ボタン５０をマウスでクリックすると、ステップＳ５５において、体重の月間グラフを表示する。
【００４５】
ダイエットボタン５１をマウスでクリックすると、ステップＳ５６において、ダイエットアドバイス・ルーチンを実行し、ダイエットに関するアドバイスを行う。詳細は後ほど説明する。生活習慣病ボタン５２をマウスでクリックすると、ステップＳ５７において、生活習慣病アドバイス・ルーチンを実行し、生活習慣病に関するアドバイスを行う。詳細は後ほど説明する。
【００４６】
血圧計ルーチンおよび歩数計ルーチンについては、表示するものが血圧、歩数であることを除いて、体脂肪計ルーチンと同等の機能を有するので、血圧計ルーチンおよび歩数計ルーチンの実行結果をそれぞれ図６および図７に示すのにとどめ、詳細は省略する。
【００４７】
次に、図８を用いて、ダイエットアドバイス・ルーチンの動作を説明する。ステップＳ８１でダイエットグラフルーチンを呼び出し、図９に示すように当月のダイエットグラフをＰＣの画面に表示する。ダイエットグラフは、ダイエットに関係する体重、体脂肪量、基礎代謝量、および総消費エネルギー量等のグラフからなる。図９の過去ボタン９１をマウスでクリックすると、ステップＳ８２において、指定月のダイエットグラフをＰＣの画面に表示する。
【００４８】
図９のアドバイスボタン９２をマウスでクリックすると、ステップＳ８３において、ダイエットに関する詳細アドバイス表示処理を実行する。最初に、図１０に示すようにアニメーションの女性１１１が画面の右手から歩いて登場する。アニメーションの女性１１１は、図１１に示す位置で止まり、口１１２を動かし、手１１３を振り、体型および体重・体脂肪量・基礎代謝量に関する注意あるいはコメントが記載された吹き出し１１４を手で指し示す。口と手の動きによりあたかもアドバイザーがアドバイスするかのような錯覚を画面を見ている人に起こさせ、アドバイスのメッセージをよく見るよう注意を促し、アドバイスに注視させることが可能となる。
【００４９】
吹き出し１１４に記載されている体型および体重・体脂肪量・基礎代謝量に関する注意あるいはコメントの決定方法について説明する。体型１１５には、やせ、適正、筋肉質、かくれ肥満、肥満の種類があり、ＢＭＩ（Ｂｏｄｙ  Ｍａｓｓ  Ｉｎｄｅｘ）と体脂肪率に基づいて決定する。
【００５０】
体重に関する注意あるいはコメント１１６は、図１２に示すように１％以上３％未満の体重減、３％以上５％未満の体重減、５％以上の体重減、−１％から１％までの体重、１％以上３％未満の体重増、３％以上５％未満の体重増、および５％以上の体重増と体型に基づいて注意あるいはコメントのメッセージを出す。図１２では、各区分に対して、最大３種類のメッセージが記載されているが、実際は、各区分に対して４種類上のメッセージが用意されており、この中からランダムに選択している。３％以上５％未満の体重増で体型がかくれ肥満の場合のメッセージの例を図１３に示す。
【００５１】
体脂肪量および基礎代謝量に関しても、体重と同様な考えでメッセージを用意するので、メッセージの詳細については省略する。
【００５２】
次に、図１４を用いて、生活習慣病アドバイス・ルーチンの動作を説明する。ステップＳ１１１に生活習慣病グラフルーチンを呼び出し、図１５に示すように当月の生活習慣病グラフをＰＣの画面に表示する。生活習慣病グラフは、生活習慣病に関係する体重、体脂肪量、内臓脂肪レベル、最高血圧、および最低血圧等のグラフからなる。図１５の過去ボタン１５１をマウスでクリックすると、ステップＳ１１２において、指定月のダイエットグラフをＰＣの画面に表示する。
【００５３】
図１５のアドバイスボタン１５２をマウスでクリックすると、ステップＳ１１３において、生活習慣病に関する詳細アドバイス表示処理を実行する。最初に、アニメーションの男性が画面の右手から歩いて登場する。アニメーションの男性１６１は、図１６に示す位置で止まり、口１６２を動かし、手１６３を振り、体型および体重・体脂肪量・内臓脂肪レベルに関する注意あるいはコメントが記載された吹き出し１６４を手で指し示す。ダイエットアドバイスと同様に口と手の動きにより画面を見ている人に注意を促すことが可能となる。
【００５４】
吹き出し１６４に記載されている体型および体重・体脂肪量・内臓脂肪レベルに関する注意あるいはコメントの決定方法については、ダイエットアドバイスと同一あるいは同等なので、説明は省略する。
【図面の簡単な説明】
【００５５】
【図１】本発明に係る健康管理システムの構成図である。
【図２】レシーバーの論理ブロック図である。
【図３】健康管理プログラムのメインルーチンの動作を示すフローチャ−トである。
【図４】体脂肪計の測定データを表示する画面である。
【図５】体脂肪計ルーチンの動作を示すフローチャートである。
【図６】血圧計の測定データを表示する画面である。
【図７】歩数計の測定データを表示する画面である。
【図８】ダイエットアドバイス・ルーチンの動作を示すフローチャートである。
【図９】ダイエットグラフを表示する画面である。
【図１０】ダイエットアドバイス・ボタンをマウスでクリックした直後の画面である。
【図１１】ダイエットに関するアドバイスのメッセージを表示する画面である。
【図１２】体重に関するアドバイスのメッセージの例である。
【図１３】体重に関するアドバイスのメッセージの例である。
【図１４】生活習慣病アドバイス・ルーチンの動作を示すフローチャートである。
【図１５】生活習慣病グラフを表示する画面である。
【図１６】生活習慣病に関するアドバイスのメッセージを表示する画面である。
【図１７】Ｏｆｆｉｃｅアシスタントのバルーン機能を説明する画面である。
【符号の説明】
【００５６】
１  血圧計
２  歩数計
３  体脂肪計
４  レシーバー
５  パソコン
６  インターネット網
７  データサーバー
【図１】
2004283570.tif 000003
【図２】
2004283570.tif 000004
【図３】
2004283570.tif 000005
【図４】
2004283570.tif 000006
【図５】
2004283570.tif 000007
【図６】
2004283570.tif 000008
【図７】
2004283570.tif 000009
【図８】
2004283570.tif 000010
【図９】
2004283570.tif 000011
【図１０】
2004283570.tif 000012
【図１１】
2004283570.tif 000013
【図１２】
2004283570.tif 000014
【図１３】
2004283570.tif 000015
【図１４】
2004283570.tif 000016
【図１５】
2004283570.tif 000017
【図１６】
2004283570.tif 000018
【図１７】
2004283570.tif 000019